(57)【要約】【課題】二段圧縮機の運転開始直後の吐出温度を高めることができ、もって前記待ち時間の短縮や加熱運転の効率向上を可能にする自動販売機を提供する。【解決手段】制御手段が、二段圧縮機１によって圧縮された冷媒を二段圧縮機１から一方の庫内蒸発器８Ｂ、８Ｃに直接供給した後、膨張手段７および中間熱交換器５を経由して二段圧縮機１に戻す運転モード（ＨＨモード）を実行させるとき、配管７８Ｂ、７８Ｃの庫内蒸発器８Ｂ、８Ｃに近い位置に設置された吐出温度センサ９Ｂ、９Ｃが測定した吐出温度（二段圧縮機によって圧縮された冷媒の温度）が、所定の温度に到達するまでは二段圧縮機１を高周波数で運転し、吐出温度が所定の温度を超した後は二段圧縮機１を低周波数で運転する。【選択図】図１
2008181313.tif 000002
【特許請求の範囲】
【請求項１】
冷媒を圧縮する二段圧縮機と、冷媒を冷却する中間熱交換器およびガスクーラと、冷媒を膨張する膨張機構と、冷媒を蒸発させる複数の庫内蒸発器と、を具備する冷却ユニットと、
筐体内に設置された仕切板によって仕切られ、前記複数の庫内蒸発器がそれぞれ設置された複数の商品収納庫と、
運転モードに応じて前記複数の庫内蒸発器のそれぞれに、冷媒の供給開始または供給停止を制御する制御手段と、を有す自動販売機であって、
前記制御手段が、冷媒を前記二段圧縮機から前記複数の庫内蒸発器のうちの一方の庫内蒸発器に直接供給した後、前記膨張手段および前記中間熱交換器を経由して前記二段圧縮機に戻す運転モードを実行させるとき、前記二段圧縮機によって圧縮された冷媒の温度に基づいて、前記二段圧縮機の運転周波数を変更することを特徴とする自動販売機。
【請求項２】
冷媒を圧縮する二段圧縮機と、冷媒を冷却する中間熱交換器およびガスクーラと、冷媒を膨張する膨張機構と、冷媒を蒸発させる複数の庫内蒸発器と、を具備する冷却ユニットと、
筐体内に設置された仕切板によって仕切られ、前記複数の庫内蒸発器がそれぞれ設置された複数の商品収納庫と、
運転モードに応じて前記複数の庫内蒸発器のそれぞれに、冷媒の供給開始または供給停止を制御する制御手段と、を有す自動販売機であって、
前記制御手段が、冷媒を前記二段圧縮機から前記複数の庫内蒸発器のうちの一方の庫内蒸発器に直接供給した後、前記膨張手段および前記複数の庫内蒸発器のうちの他方の庫内蒸発器を経由して前記二段圧縮機に戻す運転モードを実行させるとき、前記二段圧縮機によって圧縮された冷媒の温度に基づいて、前記二段圧縮機の運転周波数を変更することを特徴とする自動販売機。
【請求項３】
前記制御手段が、冷媒を前記二段圧縮機から前記複数の庫内蒸発器のうちの一方の庫内蒸発器に直接供給した後、前記ガスクーラを経由して前記膨張手段に供給することを特徴とする請求項１または２記載の自動販売機。
【請求項４】
前記制御手段が、前記二段圧縮機によって圧縮された冷媒の温度が所定の温度に到達するまで、前記二段圧縮機を所定の周波数で運転し、前記二段圧縮機によって圧縮された冷媒の温度が所定の温度に到達した後は、前記二段圧縮機を前記所定の周波数よりも低い周波数で運転することを特徴とする請求項１乃至３の何れかに記載の自動販売機。
【請求項５】
前記二段圧縮機によって圧縮された冷媒の温度が、前記冷媒が供給される庫内蒸発器の入口に接続された配管の温度であることを特徴とする請求項１乃至４の何れかに記載の自動販売機。
【請求項６】
前記膨張手段に流入する前の冷媒と、前記中間熱交換器から流出した後の冷媒との間で熱交換をする内部熱交換器を有することを特徴とする請求項１記載の自動販売機。
【請求項７】
前記膨張手段に流入する前の冷媒と、前記複数の庫内蒸発器のうちの他方の庫内蒸発器から流出した後の冷媒との間で熱交換をする内部熱交換器を有することを特徴とする請求項２記載の自動販売機。
【発明の詳細な説明】
【技術分野】
【０００１】
本発明は自動販売機、特に、容器に入った飲料等を冷却や加熱して販売する自動販売機に関する。
【背景技術】
【０００２】
たとえば、容器に入った飲料等（以下「商品」と称す）の自動販売機は、断熱材によって包囲された筐体の内部が、複数の商品収納庫に仕切られ、商品収納庫のそれぞれは、収納している商品や季節に応じて冷却されたり加熱されたり適宜切り替えられている。すなわち、自動販売機には、公知の冷凍サイクルを実現する冷却ユニットが設置され、冷却ユニットを構成する蒸発器の吸熱によって、商品収納室の冷却が実行され、商品収納室に電熱ヒータが設置され、これによって加熱が実行されていた。
近年、環境保全の要請から冷媒がフロン系からＨＣ（ハイドロカーボン）に変更され、また、省エネの要請から冷媒にＨＣを使用し、ＨＣ冷媒の温熱を有効利用すべく、該温熱を商品の加熱に使用する発明が開示されている（例えば、特許文献１参照）。
【０００３】
【特許文献１】特開２００３−１７３４６７号公報（第４頁、図１）
【発明の開示】
【発明が解決しようとする課題】
【０００４】
特許文献１に開示された発明は、ＨＣ冷媒を用いた冷凍サイクルで発生する冷熱を商品の冷却に、温熱を商品の加熱に用いるため、省エネが進むと共に、余剰となった冷熱または温熱を自動販売機の筐体表面から放熱させるため、放熱が容易になるものである。このため、放熱のためのファンの運転騒音が抑えられ、室内設置に好適な自動販売機を提供するとの効果を奏するものである。
しかしながら、特許文献１に開示された発明は、商品収納室を加熱する際、商品収納室の空気（以下「庫内空気」と称す）を５５℃程度に高める必要があるところ、二段圧縮機によって圧縮された冷媒の温度（以下「吐出温度」と称す）は、二段圧縮機の運転開始直後は上昇が遅いという問題があった。このため、商品が所定の温度を到達するまでに所定の時間を要し、販売可能になるまでに所定の待ち時間を必要としていた。また、吐出温度の低さに応じて加熱運転の効率が悪くなっていた。
【０００５】
本発明は上記に鑑みて想到されたものであって、二段圧縮機の運転開始直後の吐出温度を高めることができ、もって前記待ち時間の短縮や加熱運転の効率向上を可能にする自動販売機を提供することを目的とする。
【課題を解決するための手段】
【０００６】
（１）本発明に係る自動販売機（請求項１）は、冷媒を圧縮する二段圧縮機と、冷媒を冷却する中間熱交換器と、冷媒を膨張する膨張機構と、冷媒を蒸発させる複数の庫内蒸発器と、を具備する冷却ユニットと、
筐体内に設置された仕切板によって仕切られ、前記複数の庫内蒸発器がそれぞれ設置された複数の商品収納庫と、
運転モードに応じて前記複数の庫内蒸発器のそれぞれに、冷媒の供給開始または供給停止を制御する制御手段と、を有す自動販売機であって、
前記制御手段が、冷媒を前記二段圧縮機から前記複数の庫内蒸発器のうちの一方の庫内蒸発器に直接供給した後、前記膨張手段および前記中間熱交換器を経由して前記二段圧縮機に戻す運転モードを実行させるとき、前記二段圧縮機によって圧縮された冷媒の温度に基づいて、前記二段圧縮機の運転周波数を変更することを特徴とする。
【０００７】
（２）本発明に係る自動販売機（請求項２）は、冷媒を圧縮する二段圧縮機と、冷媒を冷却する中間熱交換器およびガスクーラと、冷媒を膨張する膨張機構と、冷媒を蒸発させる複数の庫内蒸発器と、を具備する冷却ユニットと、
筐体内に設置された仕切板によって仕切られ、前記複数の庫内蒸発器がそれぞれ設置された複数の商品収納庫と、
運転モードに応じて前記複数の庫内蒸発器のそれぞれに、冷媒の供給開始または供給停止を制御する制御手段と、を有す自動販売機であって、
前記制御手段が、冷媒を前記二段圧縮機から前記複数の庫内蒸発器のうちの一方の庫内蒸発器に直接供給した後、前記膨張手段および前記複数の庫内蒸発器のうちの他方の庫内蒸発器を経由して前記二段圧縮機に戻す運転モードを実行させるとき、前記二段圧縮機によって圧縮された冷媒の温度に基づいて、前記二段圧縮機の運転周波数を変更することを特徴とする。
【０００８】
（３）本発明に係る自動販売機（請求項３）は、前記（１）または（２）において、前記制御手段が、冷媒を前記二段圧縮機から前記複数の庫内蒸発器のうちの一方の庫内蒸発器に直接供給した後、前記ガスクーラを経由して前記膨張手段に供給することを特徴とする。
（４）本発明に係る自動販売機（請求項４）は、前記（１）乃至（３）において、前記制御手段が、前記二段圧縮機によって圧縮された冷媒の温度が所定の温度に到達するまで、前記二段圧縮機を所定の周波数で運転し、前記二段圧縮機によって圧縮された冷媒の温度が所定の温度に到達した後は、前記二段圧縮機を前記所定の周波数よりも低い周波数で運転することを特徴とする。
（５）本発明に係る自動販売機（請求項５）は、前記（１）乃至（４）において、前記二段圧縮機によって圧縮された冷媒の温度が、前記冷媒が供給される庫内蒸発器の入口に接続された配管の温度であることを特徴とする。
【０００９】
（６）本発明に係る自動販売機（請求項６）は、前記（１）において、前記膨張手段に流入する前の冷媒と、前記中間熱交換器から流出した後の冷媒との間で熱交換をする内部熱交換器を有することを特徴とする。
（７）本発明に係る自動販売機（請求項７）は、前記（２）において、前記膨張手段に流入する前の冷媒と、前記複数の庫内蒸発器のうちの他方の庫内蒸発器から流出した後の冷媒との間で熱交換をする内部熱交換器を有することを特徴とする。
【発明の効果】
【００１０】
（ｉ）本発明の請求項１に係る自動販売機は、制御手段が、冷媒を二段圧縮機から一方の庫内蒸発器に直接供給した後、膨張手段および中間熱交換器を経由して二段圧縮機に戻す運転モード（たとえば、ＨＨモード、Ｈモード等）を実行するとき、前記二段圧縮機によって圧縮された冷媒の温度（以下「吐出温度」と称す）に基づいて、二段圧縮機の運転周波数を変更するから、吐出温度の立ち上がりが早くなる。よって、前記待ち時間の短縮や加熱運転の効率向上が可能になる。
【００１１】
（ｉｉ）本発明の請求項２に係る自動販売機は、制御手段が、冷媒を二段圧縮機から一方の庫内蒸発器に直接供給した後、膨張手段および他方の庫内蒸発器を経由して二段圧縮機に戻す運転モード（たとえば、ＣＨＨモード、ＣＣＨモード等）を実行するとき、前記二段圧縮機によって圧縮された冷媒の温度（以下「吐出温度」と称す）に基づいて、二段圧縮機の運転周波数を変更するから、吐出温度の立ち上がりが早くなる。よって、前記待ち時間の短縮や加熱運転の効率向上が可能になる。
【００１２】
（ｉｉｉ）本発明の請求項３に係る自動販売機は、前記制御手段が、冷媒をガスクーラを経由してから膨張手段に供給するから、膨張手段に流入する際の冷媒温度が低くなり、膨張手段の負担が低減する。
（ｉｖ）本発明の請求項４に係る自動販売機は、前記制御手段が、吐出温度が所定の温度（以下「設定吐出温度」と称す）に到達するまで、二段圧縮機を高い周波数で運転し、設定吐出温度に到達した後は、二段圧縮機を低い周波数で運転するから、制御が簡素になると共に、吐出温度の立ち上がり時間が短くなり、また、立ち上がり後の消費電力を抑えることができる。
（ｖ）本発明の請求項５に係る自動販売機は、吐出温度が庫内蒸発器の入口に接続された配管の温度であるから、吐出温度の測定が簡単になる。
【００１３】
（ｖｉ）本発明の請求項６に係る自動販売機は、膨張手段に流入する前の冷媒（温熱を有する）と、中間熱交換器から流出した後の冷媒（冷熱を有する）との間で熱交換をする内部熱交換器を有するから、冷凍サイクルの系外に放散される熱量が低減し、結果として圧縮機の負担が低減する。
（ｖｉｉ）本発明の請求項７に係る自動販売機は、膨張手段に流入する前の冷媒（温熱を有する）と、他方の庫内蒸発器から流出した後の冷媒（冷熱を有する）との間で熱交換をする内部熱交換器を有するから、冷凍サイクルの系外に放散される熱量が低減し、結果として圧縮機の負担が低減する。
【発明を実施するための最良の形態】
【００１４】
（自動販売機）
図１および図２は本発明の実施の形態に係る自動販売機を説明するものであって、図１は正面視の断面図、図２は側面視の断面図である。図１および図２において、自動販売機１０００は、本体のキャビネット（以下「筐体」と称す）２００と、筐体２００の内部で断熱材３００に包囲された商品収納庫４０１と、商品Ｓを補充する時に商品収納庫４０１を開閉する商品補充用扉４０４と、商品収納庫４０１と外気を遮断するための内扉４０５と、自動販売機１０００の前扉４０６と、を有している。商品収納庫４０１は仕切り板４０３ＡＢ、４０３ＢＣによって商品収納室４０２Ａ、４０２Ｂ、４０２Ｃに仕切られている。
なお、以下の説明において、商品収納室４０２Ａ、４０２Ｂ、４０２Ｃにおいて共通する内容については添え字「Ａ、Ｂ、Ｃ」の記載を省略し、同じ部分または相当する部分には同じ符号を付し、一部の説明を省略する。
【００１５】
各商品収納室４０２には、商品Ｓを収納するための商品収納ラック４０７と、商品収納ラック４０７から自然落下した商品Ｓを取出すための商品取出し口４０９と、商品Ｓを商品取出し口４０９まで誘導する商品誘導板（通気孔が設けられている、以下「シュータ」と称す）４０８とが設置され、シュータ４０８の下方が庫内部品収納室４１０となっている。また、庫内空気を商品収納ラック４０７を経由して庫内部品収納室４１０に循環させるための循環ダクト４２０が設置されている。
そして、庫内部品収納室４１０には、庫内空気をシュータ４０８を通過して商品Ｓに衝突させる送風手段（以下「庫内ファン」と称す）４３０と、庫内ファン４３０の下流側（循環ダクト４２０から遠い側）に庫内熱交換器４４０と、庫内ファン４３０および庫内熱交換器４４０を収納する送風ダクト４５０と、送風ダクト４５０に連通して空気を通す風胴４６０と、庫内空気の温度を計測する庫内温度センサ５００とが設置されている。
さらに、商品収納庫４０１の下方には、冷却ユニット１００のコンデンシングユニット４７０および庫外ファン（以下「ガスクーラ用ファン」と称す）６００を収納するための機械室７００と、電装品を収納するための電装品収納室８００とが配置されている。
【００１６】
（冷却ユニット）
図３は図１に示す自動販売機に設置された冷却加熱装置を説明する構成図である。図３において、冷却ユニット１００は自動販売機１０００に設置されるものであって、冷媒を圧縮する第１圧縮部１ａおよび第２圧縮部１ｂを具備する二段圧縮機（以下「圧縮機」と称す）１と、圧縮機１の第１圧縮部１ａにおいて圧縮された冷媒を冷却する中間熱交換器２と、圧縮機１の第２圧縮部１ｂにおいて圧縮された冷媒（以下「高圧高温冷媒」と称する場合がある）が供給され、これを冷却する庫外凝縮器（以下「ガスクーラ」と称す）４とを有する。
【００１７】
さらに、ガスクーラ４により冷却された冷媒を膨張する膨張手段（たとえば、電子膨張弁）７と、膨張手段７により膨張された冷媒（以下「低圧低温冷媒」と称する場合がある）を蒸発させる庫内蒸発器８とを有する。すなわち、冷却ユニット１００は基本的には、冷媒が圧縮機１、ガスクーラ４、膨張手段７、庫内蒸発器８を順番に経由した後、圧縮機１に戻るような循環をすることで、冷凍サイクルを実行している。
また、膨張手段７（正確にはキャピラリーチューブ６）に流入直前の冷媒（温熱を有する）と、圧縮機１に戻る直前の冷媒（温熱を有する）との間で熱交換をする内部熱交換器５が設置されている。
そして、庫内蒸発器８において冷媒が蒸発することによって庫内空気を冷却している。このとき、庫内蒸発器８の外面（正確には、庫内蒸発器８を形成する配管やフィンの外面）に霜が着くため、設定された時間になると除霜（融霜）を行っている。霜が融けて生じたドレン水は、商品収納室４０２の排水孔（図示しない）から機械室７００に設置されているドレン皿（図示しない）に集められる。ドレン皿には高圧高温冷媒が流れ込む蒸発パイプ３が備えられ、該冷媒の温熱によってドレン水は蒸発している。
【００１８】
各機器を連通する配管と、一部の配管には開閉弁または逆止弁の一方または両方が設置されている。なお、符号Ｊの機器と符号Ｋの機器とを連通する配管を「配管ＪＫ」と称し、配管ＪＫに設置された開閉弁を「開閉弁ＪＫｖ」、配管ＪＫに設置された逆止弁を「逆止弁ＪＫｎ」と称す。たとえば、商品収納室４０２Ａ、４０２Ｂ、４０２Ｃには、それぞれ庫内熱交換器４４０Ａ、４４０Ｂ、４４０Ｃとして庫内蒸発器８Ａ、８Ｂ、８Ｃが設置されている。そして、膨張手段７と庫内蒸発器８Ａとを連通する配管７８Ａには、開閉弁７８Ａｖが設置され、膨張手段７と庫内蒸発器８Ｂ、８Ｃとを連通する配管７８Ｂ、７８Ｃには、開閉弁７８Ｂｖ、７８Ｃｖと逆止弁７８Ｂｎ、７８Ｃｎとが設置されている。また、配管７８Ｂ、７８Ｃの庫内蒸発器８Ｂ、８Ｃに近い位置に、それぞれ吐出温度センサ９Ｂ、９Ｃが設置されている。
【００１９】
また、中間熱交換器２には、これをバイパスするバイパス配管２２（バイパス開閉弁２２ｖが設置されている）が設置されている。また、内部熱交換器５は、配管４７の一部である配管５ａと、配管８１の一部である配管５ｂとから形成され、配管５ａと配管５ｂとは伝熱自在に（たとえば、当接、または個体伝熱媒体あるいは液体伝熱媒体を介して）配置されている。
なお、蒸発パイプ３として高圧高温冷媒が流れ込むもの、すなわち、配管１４の一部かとみなせるものを例示しているが、本発明はこれに限定するものではなく、配管１４と電熱自在に連結された部材であってもよい。
【００２０】
（冷媒の循環径路例−１）
図示しない制御手段は、運転モードに応じて、各開閉弁を開閉すると共に、後記するように圧縮機１の運転周波数を変更するものである。
図３は本発明の実施の形態に係る自動販売機に設置された冷却ユニットにおける冷媒の循環径路を説明する模式図であって、商品収納室４０２Ａが冷却運転をし、商品収納室４０２Ｂ、４０２Ｃが加熱運転をしている場合に、商品収納室４０２Ａが適温に達して冷却運転を休止しているモード（ＨＨモード）を示している。
このとき、冷媒（高圧高温冷媒）は蒸発パイプ３を経由した後、庫内蒸発器８Ｂ、８Ｃに直接流入して、商品収納室４０２Ｂ、４０２Ｃを加熱している。そして、庫内蒸発器８Ｂ、８Ｃから流出して冷媒は、ガスクーラ４および内部熱交換器５を経由して膨張手段７に流入し、膨張手段７において膨張する（低圧低温冷媒になる）。その後、低圧低温冷媒は中間熱交換器２において放熱し、内部熱交換器５を経由して圧縮機１に戻っている。
【００２１】
（冷媒の循環径路例−２）
図４は本発明の実施の形態に係る自動販売機に設置された冷却ユニットにおける冷媒の循環径路を説明する模式図であって、ＨＨモードを示している。前記冷媒の循環径路例−１は、庫内蒸発器８Ｂ、８Ｃから流出して冷媒は、ガスクーラ４および内部熱交換器５を経由して膨張手段７に流入しているのに対し、冷媒の循環径路例−２は、ガスクーラ４を経由しないで、内部熱交換器５に直接流入している。
【００２２】
（冷媒の循環径路例−３）
図５は本発明の実施の形態に係る自動販売機に設置された冷却ユニットにおける冷媒の循環径路を説明する模式図であって、（ａ）はＣＨＨモード、（ｂ）はＨＨモードを示している。図５の（ａ）において、冷媒（高圧高温冷媒）は蒸発パイプ３を経由した後、庫内蒸発器８Ｂ、８Ｃに直接流入して、商品収納室４０２Ｂ、４０２Ｃを加熱している。そして、庫内蒸発器８Ｂ、８Ｃから流出して冷媒は、ガスクーラ４および内部熱交換器５を経由して膨張手段７に流入し、膨張手段７おいて膨張する（低圧低温冷媒になる）。その後、低圧低温冷媒は庫内蒸発器８Ａに流入して、商品収納室４０２Ａを冷却した後、内部熱交換器５を経由して圧縮機１に戻っている。
なお、冷媒の循環径路例−２に準じ庫内蒸発器８Ｂ、８Ｃから流出して冷媒は、ガスクーラ４を経由しないで、内部熱交換器５に直接流入してもよい。
【００２３】
（制御手段）
図６〜図１０は本発明の実施の形態に係る自動販売機に設置された制御手段を説明するものであって、図６構成を示すブロック図、図７は圧縮機の運転周波数線図、図８は圧縮機の運転周波数制御の効果を示す吐出温度曲線、図９は庫内ファンの風量線図、図１０は制御フロー図である。
図示しない制御手段の中央演算部（図示しない、以下「ＣＰＵ」と称す）９００には、吐出温度センサ９の測定した吐出温度が入力され、これに基づいて、庫内ファン４３０、ガスクーラ用ファン６００、各開閉弁、圧縮機１（正確には圧縮機インバータ等）に対して所定の制御信号が出力される。
【００２４】
（圧縮機の運転周波数制御）
たとえば、圧縮機１に対しては、前記測定した吐出温度が所定の温度に到達するまでは、高い運転周波数（たとえば、７０Ｈｚ）を指令し、所定の温度を超えると、低い運転周波数（たとえば、５０Ｈｚ）を指令している（図７参照）。これにより、運転開始時の吐出温度の立ち上がりが早くなり、圧縮機１やガスクーラ用ファン６００の運転時間が短くなるから省エネが奏される。
【００２５】
図８の（ａ）において、従来技術は圧縮機１を立ち上がりから一定の低い運転周波数（５０Ｈｚ）で運転するものであって、庫内温度が６０℃に到達すると、一旦運転を中断する。そして、庫内温度が除々に低下して５５℃になったところで、運転を再開している。このとき、吐出温度は、９５℃にまで上昇した後、除々に５５℃にまで低下している。
一方、本発明の実施例は圧縮機１の立ち上がり直後は高い運転周波数（７０Ｈｚ）で運転を開始し、吐出温度が１１０℃にまで上昇したところで低い運転周波数（５０Ｈｚ）に切り替えている。そして、庫内温度が６０℃に到達したところで一旦運転を中断し、その後、庫内温度が除々に低下して５５℃になったところで、運転を再開している。
【００２６】
図８の（ａ）より、実施例は従来技術に比較して、吐出温度の立ち上がりが早く、吐出温度の到達温度も高くなっている。すなわち、実施例では、圧縮機１が運転を中断した直後に庫内蒸発器８の内部に留まっていた冷媒の保有する熱量が大きいため、中断している時間（以下「停止時間」と称す）が長くなっている。
図８の（ｂ）より、実施例である高い運転周波数（たとえば、７０Ｈｚ）のとき、約４秒間だけ４５０Ｗで運転し、その後、約１１秒間運転を停止している。一方、図８の（ｃ）に示す従来技術である低い運転周波数（たとえば、５０Ｈｚ）のとき、約４秒間だけ４００Ｗで運転し、その後、約６秒間だけ運転を停止している。
したがって、運転周波数を上げることにより圧縮機１の消費する単位時間当たりの電力は増加するものの、運転率（全時間に対する実運転時間の割合、全時間に対する「全時間から停止時間を除いた時間」の割合に同じ）が低くなるため、トータルの消費電力量が少なくなる（実施例と従来技術との消費電力量を比較する表１参照）。
【００２７】
【表１】
2008181313.tif 000003
【表２】
2008181313.tif 000004
【００２８】
（冷媒循環径路制御）
表２に、冷媒回路の切り替え条件を示している。すなわち、吐出温度が第１設定値（Ｔ１）未満では庫内蒸発器８から流出した冷媒（温熱を有している）は、ガスクーラ４をバイパスして内部熱交換器５に直接流入する（図４参照）。一方、吐出温度が第１設定値（Ｔ１）と第２設定値（Ｔ２）の間では庫内蒸発器８から流出した冷媒は、ガスクーラ４を経由して内部熱交換器５に流入するものと、ガスクーラ４をバイパスして内部熱交換器５に直接流入するものが、併存する（図３参照）。さらに、吐出温度が第２設定値（Ｔ２）以上では庫内蒸発器８から流出した冷媒は、ガスクーラ４を経由して内部熱交換器５に流入する（図５の（ｂ）参照）。
よって、膨張手段７（正確には内部熱交換器５）に流入する冷媒の温度が制御されるから、これに伴って、吐出温度（圧縮機１の出口の冷媒温度）が制御されることになる。すなわち、使用する凝縮器（ガスクーラ４）の数が減るので、モリエル線図（図示しない）上では高温側にシフトすることになり、吐出温度が上昇する。
【００２９】
（庫内ファン制御）
庫内ファン４３０は、図９に示す線図に基づいて風量が制御されるものである。すなわち、吐出温度が所定の「ファン運転開始温度」に到達するまでは、庫内ファン４３０を停止して、その後、吐出温度の増加量に比例して庫内ファン４３０の風量を増加する。
したがって、吐出温度が低い間は、庫内蒸発器８の放熱量が抑えられるから、膨張手段７（正確には内部熱交換器５）に流入する冷媒の温度が制御され、これに伴って、吐出温度（圧縮機１の出口の冷媒温度）の上昇が促進されることになる。
【００３０】
（制御フロー）
図１０は、前記圧縮機の運転周波数制御、冷媒循環径路制御および庫内ファン制御の全てを実行する「トータルの制御フロー」を示している。これによって、圧縮機１の運転開始直後の吐出温度の立ち上がりが早くなり、ガスクーラ用ファン６００の運転時間が短くなるため、省エネが図れると共に、吐出温度が過度に上昇することが防止される。
なお、図４に示す冷媒回路を実行する場合、ガスクーラ４には冷媒が流入しないから、ガスクーラ４を冷却するためのガスクーラ用ファン６００を停止して、無用な運転による電力を消費を回避する。
【産業上の利用可能性】
【００３１】
本発明によれば、吐出温度が急速に上昇するから、商品を加熱する各種自動販売機として広く利用することができる。
【図面の簡単な説明】
【００３２】
【図１】本発明の実施の形態に係る自動販売機を説明する正面視の断面図。
【図２】本発明の実施の形態に係る自動販売機を説明する側面視の断面図。
【図３】図１に示す自動販売機に設置された冷却加熱装置を説明する構成図。
【図４】本発明の実施の形態に係る自動販売機に設置された冷却ユニットにおける冷媒の循環径路を説明する模式図。
【図５】本発明の実施の形態に係る自動販売機に設置された冷却ユニットにおける冷媒の循環径路を説明する模式図。
【図６】本発明の実施の形態に係る自動販売機に設置された制御手段の構成を示すブロック図。
【図７】本発明の実施の形態に係る自動販売機に設置された圧縮機の運転周波数線図。
【図８】本発明の実施の形態に係る自動販売機に設置された圧縮機の運転周波数制御の効果を示す吐出温度曲線。
【図９】本発明の実施の形態に係る自動販売機に設置された庫内ファンの風量線図。
【図１０】本発明の実施の形態に係る自動販売機に設置された制御手段の制御フロー図。
【符号の説明】
【００３３】
１ 圧縮機
２ 中間熱交換器
３ 蒸発パイプ
４ ガスクーラ
５ 内部熱交換器
６ キャピラリーチューブ
７ 膨張手段
８ 庫内蒸発器
９ 吐出温度センサ
１００ 冷却ユニット
１０００ 自動販売機
２００ 筐体
３００ 断熱材
４０１ 商品収納庫
４０２ 商品収納室
４０４ 商品補充用扉
４０５ 内扉
４０６ 前扉
４０７ 商品収納ラック
４０８ 商品誘導板
４０９ 商品取出し口
４１０ 庫内部品収納室
４２０ 循環ダクト
４３０ 庫内ファン
４４０ 庫内熱交換器
４５０ 送風ダクト
４６０ 風胴
４７０ コンデンシングユニット
５００ 庫内温度センサ
６００ ガスクーラ用ファン
７００ 機械室
８００ 電装品収納室
【図１】
2008181313.tif 000005
【図２】
2008181313.tif 000006
【図３】
2008181313.tif 000007
【図４】
2008181313.tif 000008
【図５】
2008181313.tif 000009
【図６】
2008181313.tif 000010
【図７】
2008181313.tif 000011
【図８】
2008181313.tif 000012
【図９】
2008181313.tif 000013
【図１０】
2008181313.tif 000014